(57)【要約】【課題】スピーカから高音質の遠端音声を出力するとともに、当該出力された遠端音声によって生じるエコーを正確且つ高精度に除去処理することができる音声通信装置を提供することを目的とする。【解決手段】電話ユニットから供給されるアナログ遠端音声信号をスピーカから直接出力し、マイクロホンによって検出される遠端音声及び近端音声のデジタル検出音信号を所定の時間遅延させて演算部に供給する。【選択図】図１
2010016478.tif 000002
【特許請求の範囲】
【請求項１】
電話ユニットから供給されるアナログ遠端音声信号を受信してデジタル遠端音声信号に変換する第１アナログ−デジタル（Ａ／Ｄ）変換部と、
前記デジタル遠端音声信号に基づいて擬似エコー信号を生成する擬似エコー信号生成部と、
前記電話ユニットから供給される前記アナログ遠端音声信号を遠端音声に変換して出力するスピーカと、
前記遠端音声及び近端音声を検出してアナログ検出音声信号を生成するマイクロホンと、
前記アナログ検出音声信号をデジタル検出音信号に変換する第２Ａ／Ｄ変換部と、
前記デジタル検出音信号を遅延させる遅延部と、
当該遅延されたデジタル検出音信号から前記擬似エコー信号を減算してデジタル差分信号を生成する演算部と、
前記デジタル差分信号をアナログ差分信号に変換するデジタル−アナログ（Ｄ／Ａ）変換部と、を有することを特徴とする音声通信装置。
【請求項２】
前記デジタル検出音信号の遅延量は、前記擬似エコー信号生成部における擬似エコー信号生成時間に基づいて定められることを特徴とする請求項１記載の音声通信装置。
【請求項３】
前記デジタル遠端音声の前記擬似エコー信号生成部への供給タイミングと、前記デジタル検出音信号の前記演算部への供給タイミングとの時間差に基づいて、前記遅延部の前記遅延量を調整する遅延制御部を更に有することを特徴とする請求項１又は２記載の音声通信装置。
【請求項４】
前記擬似エコー信号生成部が適応フィルタであって、前記遅延制御部は前記適応フィルタのタップ係数に基づいて前記遅延量を調整することを特徴とする請求項３記載の音声通信装置。
【請求項５】
前記遅延制御部は、前記デジタル遠端音声信号が前記適応フィルタに供給された時点から、前記遠端音声によって生じるエコーのインパルス応答におけるタップ係数の絶対値が所定の閾値を超える時点までの期間だけ前記遅延量を短縮することを特徴とする請求項４記載の音声通信装置。
【請求項６】
前記遅延制御部は、前記デジタル遠端音声信号が前記適応フィルタに供給された時点から、前記遠端音声によって生じるエコーのインパルス応答における最大振幅直前においてタップ係数がゼロである時点までの期間だけ前記遅延量を短縮することを特徴とする請求項４記載の音声通信装置。
【発明の詳細な説明】
【技術分野】
【０００１】
本発明は、エコーキャンセラ機能を有する音声通信装置に関するものである。
【背景技術】
【０００２】
従来から電話回線などの音声通信において、通話相手に供給した信号が回路の特性などによって通話相手から供給される信号に回りこんでしまう、すなわちエコーが発生する問題点がある。エコーの具体例としては、電話機の受話器のスピーカから出力される音声を受話器のマイクロホンが検出し、通話相手に向けた自分の音声が再び自分に戻ってくることがある。このようなエコーの発生によって、通話相手が自分に向けて発する音声に雑音である当該エコーが混ざり、通話相手の音声が正確に聞き取ることが困難になることが知れている。
【０００３】
上述した問題を解決する方法として、当該エコーをキャンセルするためのエコーキャンセラを音声通信装置に設ける方法がある。エコーキャンセラは、上述するようなエコーを予測し、エコーに対応した遅延のある疑似的なエコーを生成する。そして、エコーキャンセラが受信した信号から当該疑似的なエコーを減算することにより、不用な音声であるエコーを除去処理することができる。
【０００４】
特許文献１には、上述したエコーの除去処理として、ハンズフリーシステムを利用したものが開示されている。特許文献１に記載のハンズフリーシステムにおいては、電話機能を備えた電話ユニットが切替スイッチを介してデジタルフィルタを用いてエコーの除去処理を実行するＤＳＰ（Digital Signal Processor）に接続されている。また、当該ＤＳＰには、上記切替スイッチとは異なる切替スイッチを介してマイクロホン及びスピーカが接続されている。更に、当該ハンズフリーシステムにおいては、エコーを除去処理しない場合には、当該電話ユニットと当該マイクロホン及びスピーカとが、ＤＳＰを介することなく、上述した複数の切替スイッチを介して直接的に接続可能となっている。
【特許文献１】特開２００３−３３８８７４
【発明の開示】
【発明が解決しようとする課題】
【０００５】
しかしながら、特許文献１記載の音声通信装置においてエコーを除去処理する場合には、擬似エコー信号を生成するために通話相手の音声信号（すなわち、アナログ遠端音声信号）が必ずＤＳＰに供給される。このため、アナログ遠端音声信号は、ＤＳＰ内においてアナログ−デジタル（Ａ／Ｄ）変換によりデジタル遠端音声信号に変換される。更に、当該デジタル遠端音声信号は、スピーカに供給される前にデジタル−アナログ（Ｄ／Ａ）変換により再びアナログ遠端音声信号に変換される。かかるＡ／Ｄ変換及びＤ／Ａ変換により、スピーカに供給されるアナログ遠端音声信号は、ＤＳＰに供給されるアナログ遠端音声信号よりも音質が劣化してしまう。
【０００６】
本発明は、以上の如き事情に鑑みてなされたものであり、スピーカから高音質の遠端音声を出力することができるとともに、当該出力された遠端音声によって生じるエコーを正確且つ高精度に除去処理することができる音声通信装置を提供する。
【課題を解決するための手段】
【０００７】
上述した課題を解決するために、本発明の音声通信装置は、電話ユニットから供給されるアナログ遠端音声信号を受信してデジタル遠端音声信号に変換する第１アナログ−デジタル（Ａ／Ｄ）変換部と、デジタル遠端音声信号に基づいて擬似エコー信号を生成する擬似エコー信号生成部と、電話ユニットから供給されるアナログ遠端音声信号を遠端音声に変換して出力するスピーカと、遠端音声及び近端音声を検出してアナログ検出音声信号を生成するマイクロホンと、アナログ検出音声信号をデジタル検出音信号に変換する第２Ａ／Ｄ変換部と、デジタル検出音信号を遅延させる遅延部と、遅延されたデジタル検出音信号から擬似エコー信号を減算してデジタル差分信号を生成する演算部と、を有することを特徴とする。
【０００８】
また、デジタル検出音信号の遅延量は、擬似エコー信号生成部における擬似エコー信号生成時間に基づいて定められても良い。
【０００９】
また、デジタル遠端音声の擬似エコー信号生成部への供給タイミングと、デジタル検出音信号の演算部への供給タイミングとの時間差に基づいて、遅延部の遅延量を調整する遅延制御部を更に有しても良い。
【００１０】
また、擬似エコー信号生成部が適応フィルタであって、遅延制御部は適応フィルタのタップ係数に基づいて遅延量を調整しても良い。
【００１１】
また、遅延制御部は、デジタル遠端音声信号が適応フィルタに供給された時点から、遠端音声によって生じるエコーのインパルス応答におけるタップ係数の絶対値が所定の閾値を超える時点までの期間だけ遅延量を短縮しても良い。
【００１２】
遅延制御部は、デジタル遠端音声信号が適応フィルタに供給された時点から、遠端音声によって生じるエコーのインパルス応答における最大振幅直前においてタップ係数がゼロである時点までの期間だけ遅延量を短縮しても良い。
【発明の効果】
【００１３】
本発明の音声通信装置によれば、電話ユニットからアナログ遠端音声信号をスピーカに直接供給するとともに、遅延部を第２Ａ／Ｄ変換と演算部との間に設けて検出音信号に遅延を生じさせることによって、スピーカから高音質の遠端音声を出力することができるとともに、当該出力された遠端音声によって生じるエコーを正確に除去処理することができる。
【発明を実施するための形態】
【００１４】
以下、本発明の実施例について添付図面を参照しつつ詳細に説明する。
【実施例１】
【００１５】
図１を参照しつつ、本発明の実施例における音声通信装置の構成について詳細に説明する。図１は、本発明の第１の実施例としての音声通信装置１０の構成図である。
【００１６】
図１に示されているように、音声通信装置１０は電話ユニット１１、ＤＳＰ（Digital Signal Processor）１２、スピーカ１３及びマイクロホン１４から構成されている。また、ＤＳＰ１２は、エコーキャンセラ１５、デジタル−アナログ（Ｄ／Ａ）変換部１６、遅延部１７、第１アナログ−デジタル（Ａ／Ｄ）変換部１８及び第２アナログ−デジタル（Ａ／Ｄ）変換部１９から構成されている。更に、エコーキャンセラ１５は擬似エコー信号生成部１５ａ（以下、単に擬似エコー生成部と称する）及び演算部１５ｂから構成されている。
【００１７】
電話ユニット１１は、通話相手との通話を行うための電話機能を備えている。電話ユニット１１は、電話回線（図示せず）を介して通話相手の電話ユニット（図示せず）と通信可能である。電話ユニット１１には、第１Ａ／Ｄ変換部１８及びスピーカ１３が接続されている。電話ユニット１１から供給されるアナログ遠端音声信号は、直接（すなわち、ＤＳＰ１２をバイパスして）、スピーカ１３に供給される。アナログ遠端音声信号は、スピーカ１３によって遠端音声に変換され、外部に出力される。すなわち、スピーカ１３から出力される遠端音声はＡ／Ｄ変換及びＤ／Ａ変換を経ることがないため、高音質である。また、第１Ａ／Ｄ変換部１８は、電話ユニット１１から出力されたアナログ遠端音声信号をデジタル遠端音声信号（以下、単に遠端音声信号とも称する）に変換する。更に、第１Ａ／Ｄ変換部１８は、エコーキャンセラ１５に設けられた擬似エコー生成部１５ａに接続されている。第１Ａ／Ｄ変換部１８は、遠端音声信号を擬似エコー生成部１５ａに供給する。擬似エコー生成部１５ａは、遠端音声信号からエコーの除去処理のための擬似エコー信号を生成する。以下においては、擬似エコー生成部が適応デジタルフィルタ（ＡＤＦ：Adaptive Digital Filter）で構成されている場合を例に説明する。なお、以下において、適応デジタルフィルタは単に適応フィルタを称する。
【００１８】
マイクロホン１４は、第２Ａ／Ｄ変換部１９に接続されている。マイクロホン１４は、検出する全ての音をアナログ信号に変換して第２Ａ／Ｄ変換部１９に供給する。すなわち、マイクロホン１４は、通話者の発する近端音声以外にもスピーカ１３から出力される遠端音声を検出する。従って、マイクロホン１４は、近端音声及び遠端音声を検出し、アナログ検出音信号に変換する。ここで、アナログ検出音信号の遠端音声に係わる部分をアナログエコー信号と称する。更に、アナログ検出音信号を第２Ａ／Ｄ変換部１９に供給する。また、第２Ａ／Ｄ変換部１９は、遅延部１７に接続されている。第２Ａ／Ｄ変換部１９は、マイクロホン１４から入力されるアナログ検出音信号をデジタル検出音信号（以下、単に検出音信号とも称する）に変換する。ここで、デジタル検出音信号の遠端音声に係わる部分をデジタルエコー信号又は単にエコー信号と称する。更に、第２Ａ／Ｄ変換部１９は、検出音信号を遅延部１７に供給する。
【００１９】
遅延部１７は、エコーキャンセラ１５の演算部１５ｂに接続されている。遅延部１７は、受信した検出音信号を所定時間遅延させた後、演算部１５ｂに供給する。遅延部での遅延時間（以下、遅延量とも称する）は、音声通信装置１０の使用環境などに基づいて適切な値が予め設定される。すなわち、遅延量は適宜変更可能な値である。例えば、遅延量は、スピーカ１３から出力された遠端音声がマイクロホン１４によって検出されるまでの時間によって設定されても良い。ここで、遠端音声のスピーカ１３からマイクロホン１４までの経路は、直接的な経路又は音声通信装置１０が設置されている周囲の壁等による反射を伴う経路であっても良い。また、遅延量は、適応フィルタ１５ａにおける擬似エコー信号が生成される前に、検出音信号が演算部１５ｂに供給されることが無いように定められる。すなわち、遅延量は適応フィルタ１５ａにおける擬似エコー信号の生成時間に基づいて設定される。
【００２０】
上述したように、エコーキャンセラ１５は適応フィルタ１５ａ及び演算部１５ｂから構成され、所定のデータの送受信が行われている。エコーキャンセラ１５の内部処理について以下に説明する。
【００２１】
適応フィルタ１５ａは遠端音声信号を自身のタップ係数で演算して擬似エコー信号を生成する。ここで、離散時刻ｔにおける受信信号をＸ＝Ｘ（ｔ）とし、タップ係数をＨ＝Ｈ（ｔ）とすると、遠端音声信号及びタップ係数は次式によって表わされる。
【００２２】
【数１】
2010016478.tif 000003
【００２３】
【数２】
2010016478.tif 000004
【００２４】
ここで、上付き添え字Ｔはベクトルの転置を表わす。
【００２５】
適応フィルタ１５ａは、演算により生成した擬似エコー信号を演算部１５ｂに供給する。演算部１５ｂは、検出音信号から当該擬似エコー信号を減算し、デジタル差分信号（以下、単に差分信号とも称する）を生成する。また、演算部１５ｂはＤ／Ａ変換部１６にも接続されており、差分信号をＤ／Ａ変換部１６に供給する。ここで、擬似エコー信号をｒ＝ｒ（ｔ）とし、検出音信号をｙ＝ｙ（ｔ）とし、差分信号をｅ＝ｅ（ｔ）とすると、擬似エコー信号及び差分信号は次式によって表わされる。
【００２６】
【数３】
2010016478.tif 000005
【００２７】
【数４】
2010016478.tif 000006
【００２８】
また、Ｄ／Ａ変換部１６は、電話ユニット１１に接続されている。Ｄ／Ａ変換部１６は、演算部１５ｂから供給された差分信号をアナログ差分信号に変換する。更に、Ｄ／Ａ変換部１６は、アナログ差分信号を電話ユニット１１に供給する。アナログ差分信号は、電話ユニット１１によって所定の音声信号に変換され、電話回線を介して遠端通話者である通話相手に供給される。
【００２９】
電話ユニット１１からのアナログ遠端音声信号を遠端音声信号としてスピーカ１３から出力する場合には、従来のように電話ユニット１１からのアナログ遠端音声信号をＡ／Ｄ変換し、更にＤ／Ａ変換によってアナログ遠端音声信号に戻す場合に比べて、音質向上を図ることができる。一方で、擬似エコー信号の生成に時間がかかるため、演算部によって検出音信号から擬似エコー信号を減算する場合に、減算のタイミングのずれが生じるため正確なエコーの除去処理ができない。
【００３０】
その点、本実施例における音声通信装置１０においては、遅延部１７を第２Ａ／Ｄ変換部１９と演算部１５ｂとの間に設けて検出音信号に遅延を生じさせることにより、演算部１５ｂにおける減算のタイミングを合わせることができる。従って、本実施例における音声通信装置１０においては、高音質な遠端音声を得ることができるともに、正確且つ高性能なエコーの除去処理を実現できる。
【００３１】
次に、図２のフローチャートを参照しつつ、本発明の実施例における音声通信装置を用いた信号の流れを詳細に説明する。
【００３２】
先ず、図１に示されているように所定の電話回線を介して遠端通話者からの音声信号が電話ユニット１１に供給される。当該遠端通話者からの音声信号は、アナログ遠端音声信号に変換されて、電話ユニット１１から第１Ａ／Ｄ変換部１８及びスピーカ１３に供給される（ステップＳ１）。
【００３３】
次に、第１Ａ／Ｄ変換部１８は、受信したアナログ遠端音声信号をデジタル遠端音声信号（単に、遠端音声信号とも称する）に変換する。第１Ａ／Ｄ変換部１８は、遠端音声信号を適応フィルタ１５ａに供給する（ステップＳ２）。適応フィルタ１５ａは、受信した遠端音声信号に基づいて擬似エコー信号を生成する（ステップＳ３）。具体的には、適応フィルタ１５ａは、遠端音声信号をタップ係数で演算して擬似エコー信号を生成する。更に、適応フィルタ１５ａは、生成した擬似エコー信号を演算部１５ｂに供給する（ステップＳ４）。
【００３４】
一方、電話ユニット１１からスピーカ１３に供給されたアナログ遠端音声信号は、スピーカ１３によって遠端音声に変換されて外部に出力される。スピーカ１３から出力された遠端音声に応じて、近端音声（すなわち、通話の応答など）が通話者によってマイクロホン１４に向けて発せられる。マイクロホン１４は、遠端音声及び近端音声を検出し、当該検出した音声をアナログ検出音信号に変換して第２Ａ／Ｄ変換部１９に供給する（ステップＳ５）。
【００３５】
次に、第２Ａ／Ｄ変換部１９は、マイクロホン１４から供給されるアナログ検出音信号をデジタル検出音信号（単に、検出音信号とも称する）に変換する。更に、第２Ａ／Ｄ変換部１９は、検出音信号を遅延部１７に供給する（ステップＳ６）。遅延部１７は、供給された検出音信号を所定期間遅延させた後に、演算部１５ｂに供給する（ステップＳ７）。
【００３６】
次に、演算部１５ｂは、入力された検出音信号からステップＳ３で生成された擬似エコー信号を減算してデジタル差分信号（単に、差分信号とも称する）を生成する（ステップＳ８）。擬似エコー信号は遠端音声信号に基づいて生成されているため、検出音信号から擬似エコー信号を減算することによって、スピーカ１３から出力された遠端音声によって生じたエコーが効率よく除去される。
【００３７】
次に、演算部１５ｂは、差分信号をＤ／Ａ変換部１６に供給する。Ｄ／Ａ変換部１６は、差分信号をアナログ差分信号に変換する（ステップＳ９）。Ｄ／Ａ変換部１６は、アナログ差分信号を電話ユニット１１に供給する。更に、電話ユニット１１から電話回線を介して通話相手の電話ユニットにアナログ差分信号が供給される（ステップＳ１０）。
【００３８】
以上のように、本発明の音声通信装置１０においては、電話ユニット１１からアナログ遠端音声信号をスピーカ１３に直接供給することによって、高音質の遠端音声をスピーカ１３から出力することができる。また、本発明の音声通信装置１０においては、遅延部１７を第２Ａ／Ｄ変換部１９と演算部１５ｂとの間に設けて検出音信号に遅延を生じさせることによって、演算部１５ｂにおけるエコーの除去処理のための減算のタイミングを合わせることができる。従って、本発明の音声通信装置１０は、スピーカ１３から高音質の遠端音声を出力することができるとともに、当該出力された遠端音声によって生じるエコーを正確に除去処理することができる。
【実施例２】
【００３９】
第１の実施例においては遅延部における検出音信号の遅延量が予め設定されていたが、スピーカから出力される遠端音声によって生じるエコーのインパルス応答に基づいて遅延量を制御する遅延制御部を更に設けても良い。このような遅延制御部を有する音声通信装置においては、スピーカ１３から出力された遠端音声がマイクロホン１４によって検出されるまでの時間が予め明確でない場合においても、演算部における検出音信号と擬似エコー信号との減算のタイミングを正確に合わせることができ、より正確且つ高性能なエコーの除去処理を実現できる。このような遅延部１７における遅延量を制御する遅延制御部を備えた音声通信装置について図３及び図４を参照しつつ詳細に説明する。なお、第１の実施例と同様の構成についてはその説明を省略する。また、第１の実施例と同様の構成部分には同一符号を付する。
【００４０】
図３に示されているように、音声通信装置３０はエコーキャンセラ１５の適応フィルタ１５ａ及び遅延部１７に接続された遅延制御部３１を更に有している。遅延制御部３１は、適応フィルタ１５ａから供給される情報データに基づいて、遅延部１７における検出音信号の遅延量を制御する。具体的には遅延制御部３１は、適応フィルタ１５ａのタップ係数に基づいて遅延部１７における遅延量を制御する。すなわち、遅延制御部３１は、適応フィルタ１５ａへの遠端音声信号の供給タイミングと、演算部１５ｂへの検出音信号の供給タイミングとの時間差に基づいて、遅延部１７における遅延量を新たに決定する。かかる遅延量の制御に係わる信号の流れを破線矢印で示す。
【００４１】
遅延制御部３１における遅延量の具体的な決定例を図４を参照しつつ詳細に説明する。図４は、あらかじめ設定された遅延量におけるエコーのインパルス応答を示す。横軸は時間であり、縦軸は適応フィルタ１５ａのタップ係数である。横軸の時刻ゼロ（Ｔ＝０）は、遠端音声信号が適応フィルタ１５ａに供給された時間である。時刻Ａ（横軸と破線Ａが交わる位置）は、エコー信号が演算部１５ｂに供給された時間である。すなわち、エコーの遅延時間は、期間α（両方向の矢印αで示す）によって示される。この期間αは、スピーカ１３から出力された遠端音声がエコーとして戻ってくるまでの遅延時間を示しており、擬似エコー信号生成に不要な係数となる。すなわち、図４に示されたエコーのインパルス応答においては、遅延部１７のあらかじめ設定された遅延量を短くし、エコーの遅延時間を短縮することができる。
【００４２】
短縮可能な遅延時間の決定方法は、図４における振幅の絶対値（すなわち、タップ係数の絶対値）とあらかじめ設定された閾値とを比較し、時刻ゼロ（Ｔ＝０）の時点から振幅が最初に閾値を超える時点までの期間を算出する。図４に示されているように、閾値をＴＨとすると、振幅が最初に閾値ＴＨを超えるのが時刻Ｂ（横軸と破線Ｂが交わる位置）となる。すなわち、時刻ゼロ（Ｔ＝０）から時刻Ｂまでの時間である期間β（両方向の矢印βで示す）だけ遅延時間を短縮することができる。遅延制御部３１は、あらかじめ設定された遅延量から期間βだけ短縮した時間を遅延量となるように調整する。
【００４３】
上述したような期間βだけ短縮した時間を遅延量として再設定することにより、有効な適応フィルタ１５ａのタップ係数を増加（すなわち、エコー信号と擬似エコー信号の重なる部分が増加）し、エコーの除去処理を正確且つ高性能に実現できる。なお、上述したような遅延量の制御は、長いエコー信号を取り除く場合において特に有効となる。
【００４４】
なお、閾値はエコーキャンセラ１５への影響がない時間を検出できれば所定の一定値でも良い。また、閾値は次式によって算出しても良い。
【００４５】
【数５】
2010016478.tif 000007
【００４６】
ここで、最大振幅は図４の時刻Ｃ（横軸と破線Ｃが交わる位置）における振幅である。
【００４７】
また、短縮可能な遅延時間の決定方法は、上述した閾値を使用する方法に限られることはなく、以下の方法でも良い。
【００４８】
図４における最大振幅である時刻Ｃから時刻ゼロ（Ｔ＝０）に向かうときに、エコーのインパルス応答のグラフが最初（すなわち、最大振幅の直前）に振幅ゼロ（０）の地点を通過する時刻（以下、ゼロクロス位置と称する）を算出する。図４においては、時刻Ｄ（横軸と破線Ｄが交わる位置）がゼロクロス位置となる。遅延制御部３１は、時刻ゼロ（Ｔ＝０）からゼロクロス位置までの経過時間である期間γ（両方向の矢印γで示す）を短縮することが可能であり、あらかじめ設定された遅延量から期間γを減算した遅延量を新たな遅延量として設定する。
【００４９】
以上のように、第２の実施例においては、遅延制御部３１を設けることによって、更に遅延量を最適に調整することができる。例えば、スピーカ１３からマイクロホン１４までの距離又は音声通信装置３０が設置させる部屋の広さ等が予め決まらない場合には、遠端音声のスピーカ１３からマイクロホン１４までの直接的な経路又は音声通信装置３０が設置されている周囲の壁等による反射を伴う経路に影響するエコーの遅延量を予め正確に定めることが困難になることもある。第２の実施例においては、遅延制御部３１によって当該エコーの遅延量を予め正確に定めることが困難な状況においても遅延部１７における遅延量を最適な値に設定することができる。これにより、エコーキャンセラ１５はすべてのタップ係数を有効に使用することができ、有効なタップ係数を増加することなく長いエコーの消去も可能となる。また、長いエコーが発生しない状況下においては、有効なタップ係数を少なくし、エコーキャンセラ１５の処理量を軽減することができる。
【図面の簡単な説明】
【００５０】
【図１】本発明の第１の実施例としての音声通信装置の構成図である。
【図２】本発明の第１の実施例としての音声通信装置における音声の送受信を示すフローである。
【図３】本発明の第２の実施例としての音声通信装置の構成図である。
【図４】本発明の第２の実施例としての音声通信装置におけるエコーのインパル応答を示したグラフである。
【符号の説明】
【００５１】
１０、３０  音声通信装置
１１  電話ユニット
１２  ＤＳＰ
１３  スピーカ
１４  マイクロホン
１５  エコーキャンセラ
１６  Ｄ／Ａ変換部
１７  遅延部
１８、１９  Ａ／Ｄ変換部
３１  遅延制御部
【図１】
2010016478.tif 000008
【図２】
2010016478.tif 000009
【図３】
2010016478.tif 000010
【図４】
2010016478.tif 000011